(57)【要約】【課題】基板又はシャーシに容易に固定され得る光拡散レンズ、及び、光拡散レンズを備えたバックライト装置を提供する。【解決手段】光拡散レンズ２７は、光源２４から液晶パネル１１に光を出射するバックライト装置１２に用いられる。光拡散レンズ２７は、本体部２７ａと、係止部２７ｂとを備える。本体部２７ａは、光源２４を覆う。係止部２７ｂは、光源２４が取り付けられる基板２５に係止され、又は、基板２５の裏側に設置されるシャーシ２２に係止される。【選択図】図８
2020187983.tif 000002
【特許請求の範囲】
【請求項１】
光源から表示部に光を出射するバックライト装置に用いられる光拡散レンズであって、
前記光源を覆う本体部と、
前記光源が取り付けられる基板に係止され、又は、前記基板の裏側に設置されるシャーシに係止される係止部と
を備える、光拡散レンズ。
【請求項２】
前記本体部から突出する突出部をさらに備え、
前記係止部が、前記突出部に形成され、
前記突出部が前記シャーシに形成された孔部に挿通された状態で、前記係止部が前記シャーシに係止される、請求項１に記載の光拡散レンズ。
【請求項３】
前記係止部が前記シャーシに係止されることで、前記本体部と前記係止部とにより前記シャーシが挟持される、請求項２に記載の光拡散レンズ。
【請求項４】
前記係止部が前記シャーシに係止されることで、前記係止部により前記シャーシが挟持される、請求項２に記載の光拡散レンズ。
【請求項５】
前記本体部の側方に配置される延出部と、
前記本体部又は前記延出部から突出する突出部と
をさらに備え、
前記係止部が、前記突出部に形成され、
前記突出部が前記シャーシに形成された孔部に挿通された状態で、前記係止部が前記シャーシに係止される、請求項１に記載の光拡散レンズ。
【請求項６】
前記係止部が前記シャーシに係止されることで、前記延出部と前記係止部とにより、前記シャーシが挟持される、請求項５に記載の光拡散レンズ。
【請求項７】
前記係止部が前記シャーシに係止されることで、前記本体部と前記係止部とにより前記シャーシと前記基板とが挟持される、請求項３、請求項４、及び請求項６のいずれか１項に記載の光拡散レンズ。
【請求項８】
前記本体部から突出する突出部をさらに備え、
前記係止部が、前記突出部に形成され、
前記突出部が前記基板に形成された孔部に挿通された状態で、前記係止部が前記基板に係止される、請求項１に記載の光拡散レンズ。
【請求項９】
光源から表示部に光を出射するバックライト装置であって、
前記光源を覆う光拡散レンズと、
前記光源が取り付けられる基板と、
前記基板の裏側に設置されるシャーシと
を備え、
前記光拡散レンズが前記基板又は前記シャーシに係止される、バックライト装置。
【発明の詳細な説明】
【技術分野】
【０００１】
本発明は、光拡散レンズ、及びバックライト装置に関する。
【背景技術】
【０００２】
特許文献１には、液晶パネルに光を出射するバックライト装置が記載されている。請求項１に記載のバックライト装置は、ＬＥＤと、ＬＥＤ基板と、拡散レンズと、支持足とを有する。ＬＥＤ基板には、ＬＥＤが取り付けられる。拡散レンズは、ＬＥＤを覆っており、ＬＥＤから出射される光を拡散させる。拡散レンズは、支持足によってＬＥＤ基板の表面に支持されている。支持足は、接着剤によりＬＥＤ基板の表面に接着されている。
【先行技術文献】
【特許文献】
【０００３】
【特許文献１】特開２０１３−１３１４６０号公報
【発明の概要】
【発明が解決しようとする課題】
【０００４】
しかし、支持足が接着剤により基板に固定されているので、基板に接着剤を塗布する作業が必要になる。また、接着剤が劣化した場合に、支持足が基板から外れる可能性がある。接着剤は、例えば、長期間に亘りバックライト装置が使用される場合、又は、高輝度のＬＥＤが用いられる場合に、熱により劣化する。また、接着剤は、例えば、接着剤を構成するエポキシ樹脂と、拡散レンズを構成する樹脂との化学反応により劣化する。
【０００５】
本発明は、基板又はシャーシに容易に固定され得る光拡散レンズ、及び、光拡散レンズを備えたバックライト装置を提供することを目的としている。
【課題を解決するための手段】
【０００６】
本発明の第１の局面によれば、光拡散レンズは、光源から表示部に光を出射するバックライト装置に用いられる。光拡散レンズは、本体部と、係止部とを備える。本体部は、前記光源を覆う。係止部は、前記光源が取り付けられる基板に係止され、又は、前記基板の裏側に設置されるシャーシに係止される。
【０００７】
本発明の第２の局面によれば、バックライト装置は、光源から表示部に光を出射する。バックライト装置は、光拡散レンズと、基板と、シャーシとを備える。光拡散レンズは、前記光源を覆う。基板は、前記光源が取り付けられる。シャーシは、前記基板の裏側に設置される。前記光拡散レンズが前記基板又は前記シャーシに係止される。
【発明の効果】
【０００８】
本発明によれば、光拡散レンズが基板又はシャーシに容易に固定され得る。
【図面の簡単な説明】
【０００９】
【図１】表示装置を示す斜視図である。
【図２】表示装置の分解図である。
【図３】バックライト装置の平面図である。
【図４】図３に示すバックライト装置のＩＶ−ＩＶ断面図である。
【図５】バックライト装置の一部の平面図である。
【図６】図５に示すバックライト装置のＶＩ−ＶＩ断面図である。
【図７】図６に示すバックライト装置のＶＩＩ−ＶＩＩ断面図である。
【図８】光拡散レンズの切断端面図である。
【図９】（ａ）は、光拡散レンズの切断端面図である。（ｂ）は、光拡散レンズの平面図である。（ｃ）は、光拡散レンズがシャーシに固定された状態を示す図である。
【図１０】（ａ）は、光拡散レンズの切断端面図である。（ｂ）は、光拡散レンズがシャーシに固定された状態を示す図である。
【図１１】（ａ）は、光拡散レンズの斜視図である。（ｂ）は、シャーシの平面図である。（ｃ）は、光拡散レンズがシャーシに固定された状態を示す図である。
【図１２】（ａ）は、光拡散レンズをＸ軸方向から見た切断端面図である。（ｂ）は、図１２（ａ）に示す光拡散レンズのＸＩＩＢ−ＸＩＩＢ切断端面図である。
【図１３】光拡散レンズの切断端面図である。
【図１４】光拡散レンズの切断端面図である。
【発明を実施するための形態】
【００１０】
本発明の実施形態について、図面を参照しながら説明する。なお、図中、同一又は相当部分については同一の参照符号を付して説明を繰り返さない。
【００１１】
［第１実施形態］
図１を参照して、本発明の第１実施形態に係る表示装置１０について説明する。図１は、表示装置１０を示す斜視図である。
【００１２】
図１に示すように、表示装置１０は、画像を表示する。表示装置１０は、例えば、テレビ画像信号を受信可能なチューナーを含み、チューナーから受信したテレビ画像信号が示す画像を表示する。なお、表示装置１０により表示される画像の種類は特に限定されない。表示装置１０は、例えば、サーバと通信可能であり、サーバから受信した画像データが示す画像を表示してもよい。また、表示装置１０は、ＵＳＢメモリのような外部記憶装置に接続され、外部記憶装置から取得した画像データが示す画像を表示してもよい。
【００１３】
図２を参照して、表示装置１０についてさらに説明する。図２は、表示装置１０の分解図である。図２は、Ｘ軸と、Ｙ軸と、Ｚ軸とを示す。Ｘ軸と、Ｙ軸と、Ｚ軸とは、互いに垂直な軸である。
【００１４】
図２に示すように、表示装置１０は、液晶パネル１１と、バックライト装置１２と、ベゼル１３とを備える。
【００１５】
液晶パネル１１は、画像を表示する。液晶パネル１１は、本発明の表示部の一例である。表示部は、バックライト装置１２からの光を利用して画像が表示される部材であればよく、液晶パネル１１に限定されない。
【００１６】
液晶パネル１１は、一対のガラス基板を有する。一対のガラス基板の間には、液晶層（不図示）が封入される。一対のガラス基板は、所定のギャップを隔てた状態で貼り合わせられる。
【００１７】
一対のガラス基板のうちの一方のガラス基板には、スイッチング素子（例えばＴＦＴ）と、画素電極と、配向膜とが設けられる。スイッチング素子には、ソース配線とゲート配線とが接続される。画素電極には、スイッチング素子が接続される。一対のガラス基板のうちの他方のガラス基板には、カラーフィルタと、対向電極と、配向膜とが設けられる。カラーフィルタには、Ｒ（赤色），Ｇ（緑色），及びＢ（青色）のような複数の着色部の各々が所定配列で配置される。ソース配線、ゲート配線、及び対向電極には、画像を表示するために必要な画像データと、各種制御信号とが、駆動回路基板（不図示）から供給される。なお、一対のガラス基板の外側には偏光板（不図示）が配置される。
【００１８】
第１実施形態のバックライト装置１２は、液晶パネル１１の裏側にＬＥＤを配置した直下型のバックライト装置である。バックライト装置１２は、液晶パネル１１に対して光を照射する。詳細には、バックライト装置１２は、液晶パネル１１に配置される液晶に光を照射する。
【００１９】
ベゼル１３は、液晶パネル１１とバックライト装置１２とを一体に保持する。ベゼル１３は、液晶パネル１１の縁部を囲むようにして、液晶パネル１１とバックライト装置１２とに取り付けられる。
【００２０】
図２〜図４を参照して、バックライト装置１２について説明する。図３は、バックライト装置１２の平面図である。図４は、図３に示すバックライト装置１２のＩＶ−ＩＶ断面図である。
【００２１】
図２〜図４に示すように、バックライト装置１２は、シャーシ２２と、光学部材２３と、光源２４と、基板２５と、フレーム２６と、光拡散レンズ２７と、反射シート２９とを備える。
【００２２】
シャーシ２２は、例えば、金属製の部材である。シャーシ２２は、基板２５の裏側（基板２５に対してＺ軸方向の反対側）に配置される。シャーシ２２は、底板２２ａと、側板２２ｂと、受け板２２ｃとを含む。底板２２ａは、液晶パネル１１に応じた形状を有する。第１実施形態では、底板２２ａは、液晶パネル１１と同様に、略矩形状に形成される。側板２２ｂは、底板２２ａの縁部から液晶パネル１１側に向けて立ち上がる。受け板２２ｃは、側板２２ｂに連なる。受け板２２ｃには、フレーム２６と光学部材２３とが設置される。
【００２３】
光学部材２３は、略矩形状に形成される。光学部材２３は、液晶パネル１１と光拡散レンズ２７との間に配置される。光学部材２３は、拡散板２３ａと、光学シート２３ｂとを含む。
【００２４】
拡散板２３ａと光学シート２３ｂとのうち、拡散板２３ａは光拡散レンズ２７側に配置され、光学シート２３ｂは液晶パネル１１側に配置される。拡散板２３ａは、所定の厚みを有する略板状の部材である。拡散板２３ａは、樹脂製により形成される基材内に拡散粒子を分散して設けた構造を有する。拡散板２３ａは、拡散板２３ａを透過する光を拡散させる機能を有する。
【００２５】
光学シート２３ｂは、略シート状の部材であり、２枚のシートが積層した構造を有する。光学シート２３ｂは、例えば、拡散シート、レンズシート、及び、反射型偏光シートのうちの少なくとも１つのシートを含む。
【００２６】
フレーム２６は、液晶パネル１１及び光学部材２３の縁部に沿う形状を有する。フレーム２６は、受け板２２ｃとの間で、光学部材２３の縁部を挟持する。また、フレーム２６は、ベゼル１３との間で、液晶パネル１１の縁部を挟持する。
【００２７】
光源２４は、基板２５上に実装される。光源２４は、光を発する。光源２４は、例えば、発光源としてＬＥＤ（Ｌｉｇｈｔ  Ｅｍｉｔｔｉｎｇ  Ｄｉｏｄｅ）チップを備える。
【００２８】
基板２５は、シャーシ２２内において底板２２ａに沿って延在しつつ、シャーシ２２に収容されている。基板２５のうち、液晶パネル１１側を向いた面には、光源２４が実装されている。光源２４は、複数設けられる。複数の光源２４は、例えば、行列を形成するようにマトリクス状に配置される。
【００２９】
基板２５の基材は、例えば、シャーシ２２と同様に、アルミ系材料を含む金属製により形成される。基板２５の表面には、絶縁層を介して配線パターンが形成される。配線パターンは、銅箔のような金属膜により形成される。基板２５の表面には、白色の反射層が形成される。基板２５は、反射層により、光源２４から発せられる光を、液晶パネル１１に向けて効果的に反射する。なお、基板２５の基材に用いる材料としては、セラミックのような絶縁材料を用いることも可能である。
【００３０】
光拡散レンズ２７は、所定の厚みを有すると共に、略円形状に形成される。光拡散レンズ２７は複数設けられる。光拡散レンズ２７は、例えば、角錐状の孔を含む。光拡散レンズ２７は、例えば、光源２４から発せられて角錐状の孔に到達した光を、臨界角を超えて反射させることで、光を拡散させる。
【００３１】
反射シート２９は、光源２４から発せられた光を反射する。反射シート２９は、例えば、合成樹脂により形成される。反射シート２９は、シャーシ２２の内面のほぼ全域にわたって敷設される。反射シート２９により、光源２４から発せられた光を液晶パネル１１に向けて効果的に供給することができる。
【００３２】
反射シート２９は、底部２９ａと、立ち上がり部２９ｂとを含む。底部２９ａは、シャーシ２２の底板２２ａに沿って延在する。底部２９ａは、底板２２ａを覆う。立ち上がり部２９ｂは、底部２９ａの縁部から液晶パネル１１側に立ち上がる。立ち上がり部２９ｂは、底部２９ａに対して傾斜する。
【００３３】
次に、図５〜図７を参照して、バックライト装置１２についてさらに説明する。図５は、バックライト装置１２の一部の平面図である。図６は、図５に示すバックライト装置１２のＶＩ−ＶＩ断面図である。図７は、図６に示すバックライト装置１２のＶＩＩ−ＶＩＩ断面図である。
【００３４】
図５から図７に示すように、液晶パネル１１は、光源２４及び光拡散レンズ２７の各々に対して、Ｚ軸方向に離間している。液晶パネル１１と、光源２４及び光拡散レンズ２７との間には、光学部材２３が配置される。
【００３５】
光源２４は、基板２５に取り付けられる。光源２４は、基板２５に対してＺ軸方向側に配置される。光拡散レンズ２７は、光源２４をＺ軸方向から覆う。
【００３６】
バックライト装置１２には、複数の基板２５が設けられる。複数の基板２５の各々は、Ｘ軸方向に沿って延びる。複数の基板２５は、Ｙ軸方向に沿って並列に配置される。
【００３７】
複数の基板２５の各々には、Ｘ軸方向に沿って並ぶ複数の光拡散レンズ２７が設置される。複数の光拡散レンズ２７は、それぞれ、複数の光源２４に対応している。複数の光拡散レンズ２７の各々は、対応する光源２４を覆っている。
【００３８】
基板２５上には、反射シート２９が配置される。基板２５上は、基板２５のうちＺ軸方向を向く面である。
【００３９】
バックライト装置１２は、放熱シート３０をさらに含む。放熱シート３０は、熱伝導率の高い絶縁性樹脂材料によって構成された熱伝導シートである。放熱シート３０の熱伝導率は、例えば、１．０Ｗ／ｍ・Ｋ以上、５．０Ｗ／ｍ・Ｋ以下である。放熱シート３０は、基板２５とシャーシ２２との間に配置される。放熱シート３０は、光源２４で発生した熱をシャーシ２２に伝導する（放熱する）ことで、光源２４の温度上昇を抑制する。
【００４０】
次に、図８を参照して、光拡散レンズ２７について説明する。図８は、光拡散レンズ２７の切断端面図である。
【００４１】
図８に示すように、光拡散レンズ２７は、本体部２７ａと、一対の足部２７ｂとを含む。
【００４２】
本体部２７ａについて説明する。
【００４３】
本体部２７ａは、光拡散レンズ２７のうち光源２４を覆う部分である。本体部２７ａは、例えば、透光性を有し、屈折率が空気よりも高い合成樹脂材料（例えばポリカーボネートやアクリルなど）を含む。本体部２７ａは、基板２５に対してＺ軸方向から対向する。本体部２７ａと基板２５との間には、光源２４が配置される。本体部２７ａは、光源２４から発せられた光を拡散させる。光源２４から発せられた光は、本体部２７ａを介することにより指向性が緩和される。その結果、隣り合う光拡散レンズ２７の間に間隔が空いていても（図５参照）、隣り合う光拡散レンズ２７の間の領域に光を供給することが可能となる。
【００４４】
光源２４から発せられた光は、本体部２７ａを通過することで拡散される。本体部２７ａを通過した光は、液晶パネル１１に供給される。その結果、液晶パネル１１に画像が表示される。
【００４５】
本体部２７ａと基板２５との間の領域α１には、反射シート２９の一部である第１シート部分２９ｅがさらに配置される。第１シート部分２９ｅは、反射シート２９と一体の部材である。第１シート部分２９ｅを反射シート２９と一体とすることで、反射シート２９をシンプルに構成できる。なお、第１シート部分２９ｅは、反射シート２９と別体の部材でもよい。
【００４６】
以下では、反射シート２９のうち、領域α１以外の領域α２に位置する部分を、第２シート部分２９ｆと記載することがある。第２シート部分２９ｆは、第１シート部分２９ｅに連なっている。
【００４７】
第１シート部分２９ｅには、第１シート貫通孔２９ｃが形成される。第１シート貫通孔２９ｃには、光源２４が配置される。また、第１シート部分２９ｅと第２シート部分２９ｆとの間には、突出部２７１が挿通される第２シート貫通孔２９ｇが形成される。突出部２７１の説明は、後述する。
【００４８】
反射シート２９は、本発明の反射部材の一例である。
【００４９】
足部２７ｂについて説明する。
【００５０】
足部２７ｂは、突出部２７１と、係止部２７２とを含む。
【００５１】
突出部２７１は、本体部２７ａに連なり、本体部２７ａから突出する。突出部２７１は、本体部２７ａからＺ軸方向の反対側に突出する。突出部２７１は、例えば、金属又は樹脂により形成される。なお、突出部２７１を形成する材料は、特に限定されない。突出部２７１は、一対設けられる。一対の突出部２７１は、Ｙ軸方向に沿って間隔を空けて配置される。
【００５２】
シャーシ２２には、一対の孔部２２ｄが形成される。一対の孔部２２ｄの各々は、シャーシ２２をＺ軸方向に沿って貫通する。一対の孔部２２ｄは、Ｙ軸方向に沿って互いに間隔を空けて配置される。孔部２２ｄの径は、突出部２７１の軸径よりも大きい。その結果、孔部２２ｄには、突出部２７１を挿通できる。
【００５３】
一対の孔部２２ｄは、それぞれ、一対の突出部２７１に対応する。一対の突出部２７１の各々は、対応する孔部２２ｄに挿通される。一対の突出部２７１の各々が対応する孔部２２ｄに挿通された状態で、一対の突出部２７１の間には、光源２４と、基板２５と、反射シート２９（第１シート部分２９ｅ）と、放熱シート３０とが配置される。
【００５４】
係止部２７２は、突出部２７１の先端に形成される。係止部２７２は、例えば、塑性変形可能な材料（金属）により形成される。係止部２７２は、突出部２７１の先端から側方に突出する。側方は、Ｚ軸方向に対して垂直な方向である。係止部２７２の突出方向の寸法は、孔部２２ｄの径よりも大きい。
【００５５】
係止部２７２が形成される手順の一例について説明する。
【００５６】
まず、突出部２７１が、孔部２２ｄにＺ軸方向に沿って挿通される。突出部２７１が孔部２２ｄに挿通された状態で、突出部２７１の先端が、孔部２２ｄからＺ軸方向の反対側に突出する。そして、突出部２７１の先端がかしめられることによって、突出部２７１の先端が変形して係止部２７２となる。なお、足部２７ｂの形状は、第１実施形態の図８に示す形状（側面視において、係止部２７２が略三角形に形成された矢印形状）に限定されない。足部２７ｂは、例えば、側面視において、係止部２７２が略Ｖ字に形成された矢印形状を有していてもよい。
【００５７】
係止部２７２は、シャーシ２２のうち孔部２２ｄの周辺部分に、Ｚ軸方向の反対側から接触する。その結果、係止部２７２がシャーシ２２に係止される。
【００５８】
光拡散レンズ２７がシャーシ２２に係止されることで、反射シート２９（第１シート部分２９ｅ）と、基板２５と、放熱シート３０と、シャーシ２２とが、本体部２７ａと係止部２７２とにより挟持される。その結果、光拡散レンズ２７と、反射シート２９と、基板２５と、放熱シート３０とを、シャーシ２２に固定できる。すなわち、光拡散レンズ２７は、本体部２７ａと係止部２７２とにより、反射シート２９と、基板２５と、放熱シート３０とを介して、シャーシ２２を挟持することで、光拡散レンズ２７自身をシャーシ２２に固定するのみならず、反射シート２９と、基板２５と、放熱シート３０とをシャーシ２２にさらに固定する。その結果、光拡散レンズ２７により、光拡散レンズ２７、反射シート２９、基板２５、及び放熱シート３０を、シャーシ２２に効率的に固定できる。
【００５９】
バックライト装置１２は、粉塵防止テープ３１をさらに含む。粉塵防止テープ３１は、係止部２７２を覆うようにしてシャーシ２２に貼り付けられる。その結果、孔部２２ｄに粉塵が入り込むことを抑制できる。また、光源２４から発せられた光が孔部２２ｄから漏れることを抑制できる。
【００６０】
以上、図８を参照して説明したように、突出部２７１がシャーシ２２に係止される。従って、接着剤を用いなくてもシャーシ２２に光拡散レンズ２７を固定できるので、シャーシ２２に光拡散レンズ２７を効果的に固定できる。また、接着剤が用いられないので、光源２４から出射された光が接着剤（黒色エポキシ接着剤）に吸収されることを防止できる。また、突出部２７１がシャーシ２２に係止されることで、光源２４の近傍で突出部２７１により基板２５をシャーシ２２に押さえつけることができる。その結果、光源２４が基板２５と共にシャーシ２２から浮き上がることが抑制されるので、光拡散レンズ２７から拡散される光の輝度にムラが生じることを抑制できる。
【００６１】
また、突出部２７１がシャーシ２２に係止されることで、本体部２７ａと突出部２７１とによりシャーシ２２が挟持されて、シャーシ２２に光拡散レンズ２７が固定される。従って、シャーシ２２に光拡散レンズ２７を固定するためにビス、リベット、又は接着剤が不要になる。その結果、バックライト装置１２をシンプルに構成でき、バックライト装置１２を容易に組み立てることができる。また、本体部２７ａと係止部２７２とにより、反射シート２９が挟持されるので、光源２４の近傍に反射シート２９を配置できる。従って、光源２４の近傍に小片反射シートのような光を反射させるための部材を別途設ける必要がない。その結果、小片反射シートと反射シート２９との間に光が入り込むような問題が生じないので、バックライト装置１２から液晶パネル１１に光を効果的に供給できる。
【００６２】
また、係止部２７２がシャーシ２２に係止されることで、本体部２７ａと係止部２７２とによりシャーシ２２と基板２５とが挟持されて、基板２５がシャーシ２２に固定される。従って、ビス、リベット、又は接着剤を用いること無く、基板２５をシャーシ２２に容易に固定できる。
【００６３】
また、光源２４の近傍で、係止部２７２により基板２５と放熱シート３０とをシャーシ２２に固定できる。従って、基板２５と放熱シート３０とシャーシ２２との密着性が向上されるので、光源２４で発生した熱を、放熱シート３０を介してシャーシ２２に効果的に放熱できる。
【００６４】
また、突出部２７１がシャーシ２２に形成された孔部２２ｄに挿通された状態で、係止部２７２がシャーシ２２に係止される。詳細には、突出部２７１が孔部２２ｄにＺ軸方向に沿って挿通された状態で、係止部２７２がシャーシ２２にＺ軸方向の反対側から接触することで、係止部２７２がシャーシ２２に係止される。
その結果、孔部２２ｄにより突出部２７１を支持できるので、シャーシ２２に光拡散レンズ２７を安定して固定できる。
【００６５】
なお、第１実施形態では、突出部２７１の先端をかしめることによって係止部２７２が形成されたが、本発明はこれに限定されない。係止部２７２は、弾性変形可能な部材でもよい。この場合、係止部２７２は、例えば、樹脂により形成される。また、この場合、係止部２７２は、シャーシ２２の孔部２２ｄに挿通される際、孔部２２ｄの寸法に合わせて縮まるように弾性変形しつつ、孔部２２ｄを通過する。そして、孔部２２ｄを通過した係止部２７２は、復元力により自身のサイズを拡大することで、孔部２２ｄの径よりも大きくなり、シャーシ２２に係止される。
【００６６】
［第２実施形態］
次に、図９（ａ）〜図９（ｃ）を参照して、光拡散レンズ２７の第２実施形態である光拡散レンズ２７Ａについて説明する。図９（ａ）は、光拡散レンズ２７Ａの切断端面図である。図９（ｂ）は、光拡散レンズ２７Ａの平面図である。図９（ｃ）は、光拡散レンズ２７Ａがシャーシ２２に固定された状態を示す図である。
【００６７】
なお、以下に示す第２実施形態〜第７実施形態において、第１実施形態と同様の構成の記載、及び第１実施形態と同様の作用効果の記載は省略することがある。
【００６８】
図９（ａ）〜図９（ｃ）に示すように、光拡散レンズ２７Ａは、本体部２７ａと、一対の足部２７ｂと、一対の延出部２７ｃとを含む。
【００６９】
一対の延出部２７ｃの各々は、本体部２７ａの側方に配置される。一対の延出部２７ｃの各々は、本体部２７ａに連なり、本体部２７ａからＸ軸方向に沿って延びる。一対の延出部２７ｃの間には、本体部２７ａが配置される。
【００７０】
一対の突出部２７１は、それぞれ、一対の延出部２７ｃに対応する。一対の突出部２７１の各々は、対応する延出部２７ｃから突出する。突出部２７１の係止部２７２は、シャーシ２２に係止される。
【００７１】
係止部２７２がシャーシ２２に係止されることで、延出部２７ｃと係止部２７２とによりシャーシ２２が挟持されて、光拡散レンズ２７Ａがシャーシ２２に固定される。その結果、ビス、リベット、又は接着剤を用いること無く、光拡散レンズ２７Ａをシャーシ２２に容易に固定できる。
【００７２】
以上、図９（ａ）〜図９（ｃ）を参照して説明したように、本体部２７ａの側方には、延出部２７ｃが配置される。突出部２７１は、延出部２７ｃから突出する。従って、一対の突出部２７１の間の寸法Ｑを、図８に示す光拡散レンズ２７のＹ軸方向の寸法よりも大きくできる。その結果、一対の突出部２７１の間に、より大きいサイズの基板２５を設置できるので、バックライト装置１２の設計の自由度が向上する。
【００７３】
［第３実施形態］
次に、図１０（ａ）及び図１０（ｂ）を参照して、光拡散レンズ２７の第３実施形態である光拡散レンズ２７Ｂについて説明する。図１０（ａ）は、光拡散レンズ２７Ｂの切断端面図である。図１０（ｂ）は、光拡散レンズ２７Ｂがシャーシ２２に固定された状態を示す図である。
【００７４】
図１０（ａ）及び図１０（ｂ）に示すように、光拡散レンズ２７Ｂは、本体部２７ａと、一対の足部２７ｂと、一対の延出部２７ｄとを含む。
【００７５】
本体部２７ａは、突起部２７ｆを含む。突起部２７ｆは、本体部２７ａのうちＺ軸方向の反対側に位置する場所に形成され、Ｚ軸方向の反対側に突出する。突起部２７ｆは、一対設けられる。一対の突起部２７ｆは、Ｙ軸方向に沿って互いに間隔を空けて配置される。
【００７６】
足部２７ｂは、突出部２７３と、係止部２７４とを含む。
【００７７】
突出部２７３は、本体部２７ａに連なり、屈曲した形状を有する。突出部２７３は、本体部２７ａからＹ軸方向に沿って突出して、Ｚ軸方向の反対側へ屈曲する。
【００７８】
係止部２７４は、突出部２７３の先端に形成される。係止部２７４は、突出部２７３の先端からＹ軸方向の外側Ｙ１へ突出する。Ｙ軸方向の外側Ｙ１は、Ｙ軸方向に沿いつつ、本体部２７ａの中心線Ｌから離間する方向である。中心線Ｌは、Ｚ軸方向に沿いつつ、本体部２７ａの中心を通る仮想線である。
【００７９】
延出部２７ｄは、本体部２７ａの側方に配置される。延出部２７ｄは、突出部２７３からＹ軸方向の外側Ｙ１に突出する。
【００８０】
延出部２７ｄは、突起部２７ｅをさらに含む。突起部２７ｅは、延出部２７ｄのうちＹ軸方向の外側Ｙ１の端部に形成され、Ｚ軸方向の反対側へ突出する。
【００８１】
突出部２７３が孔部２２ｄに挿通された状態で、係止部２７４がシャーシ２２に係止されることで、延出部２７ｄの突起部２７ｅと、係止部２７４とにより、シャーシ２２と、反射シート２９とが挟持される。その結果、光拡散レンズ２７Ｂをシャーシ２２に固定できる。また、反射シート２９をシャーシ２２に固定できる。
【００８２】
また、突出部２７３が孔部２２ｄに挿通された状態で、係止部２７４がシャーシ２２に係止されることで、本体部２７ａの突起部２７ｆと、係止部２７４とにより、シャーシ２２と、基板２５と、放熱シート３０とが挟持される。その結果、基板２５と、放熱シート３０とをシャーシ２２に固定できる。
【００８３】
延出部２７ｄの突起部２７ｅと、係止部２７４とにより、シャーシ２２と、反射シート２９とが挟持されると、延出部２７ｄが上向きに傾斜する。その結果、本体部２７ａの突起部２７ｆにより、基板２５と、放熱シート３０とがシャーシ２２に押し付けられるので、光源２４で発生した熱を基板２５及び放熱シート３０を介してシャーシ２２に効果的に放熱することができる。
【００８４】
［第４実施形態］
次に、図１１（ａ）〜図１１（ｃ）を参照して、光拡散レンズ２７の第４実施形態である光拡散レンズ２７Ｃについて説明する。図１１（ａ）は、光拡散レンズ２７Ｃの斜視図である。図１１（ｂ）は、シャーシ２２の平面図である。図１１（ｃ）は、光拡散レンズ２７Ｃがシャーシ２２に固定された状態を示す図である。
【００８５】
図１１（ａ）〜図１１（ｃ）に示すように、光拡散レンズ２７Ｃは、本体部２７ａと、一対の足部２７ｂと、一対の延出部２７ｄとを含む。
【００８６】
足部２７ｂは、突出部２７５と、係止部２７６とを含む。
【００８７】
突出部２７５は、本体部２７ａに連なり、屈曲した形状を有する。突出部２７５は、本体部２７ａからＹ軸方向に沿って突出して、Ｚ軸方向の反対側へ屈曲する。
【００８８】
係止部２７６は、突出部２７５の先端に形成される。係止部２７６は、突出部２７５の先端を切り欠いた形状を有する。
【００８９】
図１１（ｂ）において、反射シート２９の裏側にはシャーシ２２が配置される。反射シート２９には、第３シート貫通孔２９ｈと、一対の第４シート貫通孔２９ｊとが形成される。第３シート貫通孔２９ｈには、光源２４が配置される。一対の第４シート貫通孔２９ｊの各々は、略円弧状に形成される。一対の第４シート貫通孔２９ｊの間には、光源２４が配置される。
【００９０】
シャーシ２２には、一対の孔部２２ｆが形成される。一対の孔部２２ｆの各々は、シャーシ２２をＺ軸方向に沿って貫通する。一対の孔部２２ｆは、それぞれ、一対の第４シート貫通孔２９ｊと対応する。
【００９１】
孔部２２ｆは、対応する第４シート貫通孔２９ｊと同じ形状を有しており、対応する第４シート貫通孔２９ｊに対してＺ軸方向に沿って重なっている。
【００９２】
一対の足部２７ｂは、それぞれ、一対の孔部２２ｆと、一対の第４シート貫通孔２９ｊとに対応する。
【００９３】
一対の足部２７ｂの各々の突出部２７５は、対応する孔部２２ｆと第４シート貫通孔２９ｊと挿通される。
【００９４】
突出部２７５が、孔部２２ｆと第４シート貫通孔２９ｊとにＺ軸方向から挿通された状態で、光拡散レンズ２７Ｃが本体部２７ａを中心に回転されることで、シャーシ２２のうち孔部２２ｆの端部２２ｇの周辺部分が、係止部２７６に挿入される。その結果、係止部２７６がシャーシ２２に係止される。
【００９５】
係止部２７６がシャーシ２２に係止されることで、シャーシ２２の端部２２ｇと、反射シート２９のうち端部２２ｇを覆う部分とが、切欠きである係止部２７６により挟持される。その結果、光拡散レンズ２７Ｃをシャーシ２２に固定できる。また、反射シート２９をシャーシ２２に固定できる。
【００９６】
また、係止部２７６がシャーシ２２に係止されることで、本体部２７ａの突起部２７ｆと、係止部２７６とにより、シャーシ２２と、基板２５と、放熱シート３０とが挟持される。その結果、基板２５と、放熱シート３０とをシャーシ２２に固定できる。
【００９７】
なお、第３実施形態と同様に、第４実施形態では、反射シート２９の第１シート部分２９ｅ（図８参照）が領域α１に配置されない。しかし、第４実施形態において、領域α１に反射シート２９の第１シート部分２９ｅが配置されてもよい。
【００９８】
以上、図１１（ａ）から図１１（ｂ）を参照して説明したように、係止部２７６がシャーシ２２に係止されることで、係止部２７６によりシャーシ２２が挟持されて、光拡散レンズ２７Ｃがシャーシ２２に固定される。その結果、ビス、リベット、又は接着剤を用いること無く、光拡散レンズ２７Ｃをシャーシ２２に容易に固定できる。
【００９９】
［第５実施形態］
次に、図１２（ａ）及び図１２（ｂ）を参照して、光拡散レンズ２７の第５実施形態である光拡散レンズ２７Ｄについて説明する。図１２（ａ）は、光拡散レンズ２７ＤをＸ軸方向から見た切断端面図である。図１２（ｂ）は、図１２（ａ）に示す光拡散レンズ２７ＤのＸＩＩＢ−ＸＩＩＢ切断端面図である。
【０１００】
図１２（ａ）及び図１２（ｂ）に示すように、光拡散レンズ２７Ｄは、本体部２７ａと、一対の足部２７ｂと、一対の延出部２７ｃとを含む。
【０１０１】
本体部２７ａに対する足部２７ｂと延出部２７ｃとの設置構造は、第２実施形態の光拡散レンズ２７Ａと同様である。
【０１０２】
足部２７ｂは、突出部２７７と、係止部２７８とを含む。突出部２７７は、延出部２７ｃからＺ軸方向の反対側へ突出する。係止部２７８は、突出部２７７の先端に形成され、突出部２７７の先端からＸ軸方向に突出する。
【０１０３】
突出部２７７が孔部２２ｄに挿通された状態で、光拡散レンズ２７ＤがＸ軸方向に移動されることで、シャーシ２２のうち孔部２２ｄの周辺部分が、係止部２７８と本体部２７ａとの間に挿入される。その結果、係止部２７８がシャーシ２２に係止される。
【０１０４】
係止部２７８がシャーシ２２に係止されることで、シャーシ２２と、反射シート２９とが、本体部２７ａと係止部２７８とにより挟持される。その結果、光拡散レンズ２７Ｄをシャーシ２２に固定できる。また、反射シート２９をシャーシ２２に固定できる。
【０１０５】
また、係止部２７８がシャーシ２２に係止されることで、本体部２７ａの突起部２７ｆと、係止部２７８とにより、シャーシ２２と、基板２５と、放熱シート３０とが挟持される。その結果、基板２５と、放熱シート３０とをシャーシ２２に固定できる。
【０１０６】
［第６実施形態］
次に、図１３を参照して、光拡散レンズ２７の第６実施形態である光拡散レンズ２７Ｅについて説明する。図１３は、光拡散レンズ２７Ｅの切断端面図である。
【０１０７】
図６に示すように、光拡散レンズ２７Ｅは、本体部２７ａと、一対の足部２７ｂと、一対の操作部２７ｋとを含む。
【０１０８】
足部２７ｂは、突出部２７３と、係止部２７４とを含む。
【０１０９】
一対の操作部２７ｋは、それぞれ、一対の足部２７ｂに対応する。一対の操作部２７ｋの各々は、対応する突出部２７３に設けられる。
【０１１０】
操作部２７ｋは、対応する突出部２７３からＹ軸方向に沿って突出する突起である。
【０１１１】
突出部２７３が孔部２２ｄに挿通されて、係止部２７４がシャーシ２２に係止されることで、本体部２７ａと係止部２７４とにより、シャーシ２２と、基板２５と、放熱シート３０と、反射シート２９とが挟持される。その結果、光拡散レンズ２７Ｅと、基板２５と、放熱シート３０と、反射シート２９とが、シャーシ２２に固定される。
【０１１２】
係止部２７４がシャーシ２２に係止された状態で、操作部２７ｋと放熱シート３０との間に隙間ｓ１が形成されると共に、孔部２２ｄにおいて突出部２７３とシャーシ２２との間に隙間ｓ２が形成される。その結果、組立作業者は、隙間ｓ１及び隙間ｓ２を利用して、一対の操作部２７ｋを把持して、光拡散レンズ２７Ｅを、Ｙ軸方向の内側Ｙ２へ弾性変形させることができる。そして、組立作業者は、光拡散レンズ２７ＥをＹ軸方向の内側Ｙ２へ弾性変形させることで、係止部２７４がシャーシ２２に係止された状態を解除して、光拡散レンズ２７Ｅを孔部２２ｄから引き抜くことができる。その結果、組立作業者は、シャーシ２２から光拡散レンズ２７Ｅを容易に取り外すことができる。なお、Ｙ軸方向の内側Ｙ２は、Ｙ軸方向に沿いつつ、本体部２７ａの中心線Ｌに近接する方向である。
【０１１３】
［第７実施形態］
次に、図１４を参照して、光拡散レンズ２７の第７実施形態である光拡散レンズ２７Ｆについて説明する。図１４は、光拡散レンズ２７Ｆの切断端面図である。
【０１１４】
図１４に示すように、反射シート２９には、一対の第５シート貫通孔２９ｋが形成される。基板２５には、一対の孔部２５ａが形成される。放熱シート３０には、一対のシート孔部３０ａが形成される。一対の第５シート貫通孔２９ｋと、一対の孔部２５ａと、一対のシート孔部３０ａとは、Ｚ軸方向に重なっている。
【０１１５】
放熱シート３０の裏側には、シャーシ２２が配置される。
【０１１６】
基板２５は、シャーシ２２に固定されている。基板２５は、例えば、ビス、リベット、又は、接着剤（例えば、エポキシ系接着剤）により、シャーシ２２に固定されている。
【０１１７】
光拡散レンズ２７Ｆは、本体部２７ａと、一対の足部２７ｂと、一対の延出部２７ｃとを含む。一対の足部２７ｂは、それぞれ、一対の第５シート貫通孔２９ｋ、一対の孔部２５ａ、及び一対のシート孔部３０ａと対応する。
【０１１８】
突出部２７１が、対応する第５シート貫通孔２９ｋ、孔部２５ａ、及びシート孔部３０ａに挿通された状態で、係止部２７２が基板２５に係止されることで、光拡散レンズ２７Ｆが基板２５に固定される。係止部２７２が基板２５に係止されることは、基板２５のうち孔部２５ａの周辺部分に、係止部２７２がＺ軸方向の反対側から放熱シート３０を介して接することを示す。
【０１１９】
係止部２７２が基板２５に係止されることで、本体部２７ａと係止部２７２とにより、反射シート２９と、基板２５と、放熱シート３０とが挟持される。その結果、光拡散レンズ２７Ｆと、反射シート２９と、放熱シート３０とを基板２５に固定することができる。
【０１２０】
シャーシ２２は、湾曲部２２ｋを含む。湾曲部２２ｋは、シャーシ２２のうち係止部２７２と対向する部分に形成される。湾曲部２２ｋは、Ｚ軸方向の反対側に湾曲する。湾曲部２２ｋと放熱シート３０との間には、係止部２７２を配置するためのスペースｓ３が形成される。なお、シャーシ２２において、湾曲部２２ｋを除去することで、シャーシ２２のうち湾曲部２２ｋが位置する場所に孔を形成し、孔の内側に係止部２７２を配置するためのスペースを確保してもよい。
【０１２１】
以上、図１４を参照して説明したように、突出部２７１が、基板２５に形成された孔部２５ａに挿通された状態で、係止部２７２が基板２５に係止されることで、本体部２７ａと係止部２７２とにより基板２５が挟持される。その結果、光拡散レンズ２７Ｆが基板２５に固定される。また、ビス、リベット、又は接着剤を用いること無く、光拡散レンズ２７Ｆを基板２５に容易に固定できる。
【０１２２】
以上、図面（図１〜図１４）を参照しながら本発明の実施形態について説明した。但し、本発明は、上記の実施形態に限られるものではなく、その要旨を逸脱しない範囲で種々の態様において実施することが可能である（例えば、（１））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１２３】
（１）第１実施形態〜第７実施形態に示すバックライト装置１２は、放熱シート３０を含んでいなくてもよい。
【産業上の利用可能性】
【０１２４】
本発明は、の分野に利用可能である。
【符号の説明】
【０１２５】
１１    液晶パネル
１２    バックライト装置
２２    シャーシ
２４    光源
２５    基板
２７    光拡散レンズ
２７ａ  本体部
２７ｂ  係止部
【図１】
2020187983.tif 000003
【図２】
2020187983.tif 000004
【図３】
2020187983.tif 000005
【図４】
2020187983.tif 000006
【図５】
2020187983.tif 000007
【図６】
2020187983.tif 000008
【図７】
2020187983.tif 000009
【図８】
2020187983.tif 000010
【図９】
2020187983.tif 000011
【図１０】
2020187983.tif 000012
【図１１】
2020187983.tif 000013
【図１２】
2020187983.tif 000014
【図１３】
2020187983.tif 000015
【図１４】
2020187983.tif 000016